(57)【要約】【課題】様々な調査、編集、分析をする場合に、手作業では非常に手間が掛かる部分を自動化をするには、多額の設備投資や開発する人材が必要であり、さらに新規分野での使用開始には長期の開発期間が必要である。【解決手段】情報の調査記録に一般の携帯電話のメール機能をそのまま使用し、調査した情報は送信メールの本文欄に雛形文章として、いわゆるＣＳＶ形式であるカンマで情報を区切る形式の文章を準備して、該当箇所だけに書込んでメール送信をする。受信はＥ−メール環境で実施してデータ収集を行い、汎用データベースに取り込み、編集、分析をする。この一連の仕事が出来る機能を備えた携帯電話と情報処理装置の組合せを特徴とした調査編集システム。【選択図】図１
0003127932.tif 000002
【実用新案登録請求の範囲】
【請求項１】
ある特定な事項を対象とした、例えば集客数、在庫数、を調査編集し結果を出すまでの一連の手段において、項目、数、などを携帯電話の汎用メール機能を利用して雛形文章の入力欄に書込み、特定情報処理者宛にメールの送信をする事により届いたメールにより、特定情報処理者が管理するデータベースに取込む事により編集や分析処理を特定情報処理者に任せてグラフ、帳票や分析結果を出せる。このグラフ、帳票や分析結果を必要とする情報要求者へＥ−メールなどで届けることにより、情報要求者は特別設備を要せず調査して、煩雑な編集や分析処理を専門業者に委託できる事を特徴とした調査編集委託システム。
【考案の詳細な説明】
【技術分野】
【０００１】
本考案は、特別設備を要せず多項目の調査ができて、編集や分析処理を専門業者に委託できる調査編集委託システムに関するものである。
【背景技術】
【０００２】
企業などが自身の運営状況を分析するのに、同業他社および自身のある事項について調査数量を記録した結果をパソコンなどに手入力をして編集分析をする方法は汎用性があり一般的である。
【０００３】
または、特殊な機器を用いて調査記録してパソコンに接続して調査結果をパソコンに自動的に取り込み、自動的に編集分析をする事も出来る。
【０００４】
しかし、前者では、調査結果をパソコンに手入力する際に、手間が掛かり入力誤りが有り、また後者では調査結果を入力する機器の製作費用が嵩む上に製作期間が必要であり、編集のソフトウェアーの開発期間も必要であり即座に調査することが出来ないなどの問題がある。
【０００５】
さらに前者、後者いずれの場合もパソコンを操作するには相当な技術が必要である上に、もしこれらの方法を導入したとして期待する効果を得る編集や分析結果なのかは導入して運用してみないと解らない場合がある。
【特許文献１】特開２００２−２３６７８０号公報
【考案の開示】
【考案が解決しようとする課題】
【０００６】
解決しようとする問題点は、調査、編集、分析をするのに、多額の設備投資と運営する人材が必要であり、さらに新規分野での使用開始には長期の開発期間が必要である点である。
【課題を解決するための手段】
【０００７】
本考案は、調査記録を既存の携帯電話で行い、編集や分析を汎用性のあるソフトウェアーにより実施し、一連作業の全てまたは編集や分析だけを専門業者に委託により実施することを特徴とする。
【考案の効果】
【０００８】
本考案の調査編集委託システムは、調査記録を既存の携帯電話で行い特別な機器を必要としないので、調査場所、調査箇所数・人数、調査項目などの自由性があり、編集や分析を専門家により汎用性のあるソフトウェアーにより即座に実施できるので必要期間だけ、一連作業の全てまたは編集や分析だけを専門業者に委託により安易に迅速に実施できるという利点がある。
【考案を実施するための最良の形態】
【０００９】
調査結果を携帯電話の汎用メール文章入力機能を利用し雛形文章に文字挿入することにより記録デジタル化して、インターネット環境によるＥ−メールで情報管理者宛に送信して、パソコンなどに入力させて得た情報をデータベース化し、編集、分析する形態が問題解決の最良な形態である。
【実施例】
【００１０】
図１により、運営形態の一連のシステムを説明する。
実施例として、複数のパチンコ店の集客情報を調査、編集、分析するものとする。
【００１１】
情報要求者１が、自身の地域数店の集客情報を、店別、機種（パチンコ、スロット）別、種（遊技機の名称）別、などの稼働率、および営業時間の開店直後、昼間、夕方、閉店前などの時間帯に分けた稼働率などを情報処理者３に要求する。
【００１２】
情報処理者３は、要求情報を得れる形式の雛形文章を作り、この雛形文章をインタネット網５および携帯電話網７を経由して調査を担当する携帯電話８へ汎用のメール送信をする。
【００１３】
携帯電話８は、１台の場合はその１台へ店ごとの雛形文章を１通づつのメールにして送り、担当者を分ける場合は、携帯電話８を複数台にして、それぞれ担当の携帯電話８へ該当する雛形文章を送信する。
【００１４】
携帯電話８とその調査担当者は、情報要求者１が管理する場合もあれば情報処理者３が管理する場合もあり得るが物理的には同様でありどちらも本考案システムでは可能である。
【００１５】
後述するように携帯電話８で調査記録した内容の規定形式の文章を、携帯電話網７およびインタネット網５を経由して情報処理者３へ返信メールをする。
【００１６】
情報処理者３は、返信されたメールをデータベースに取り込み編集や分析が出来る。
【００１７】
編集や分析をした情報を、様々な方法で情報要求者１へ届けることが出来る。
例えば、Ｅ−メールで汎用のＰＤＦ形式ファイルで送付すれば安価で迅速になるが、インタネット環境を使用出来ない場合には、運送会社のメール便や宅配便、郵便などを利用できる。
【００１８】
ここで、本考案システムの特徴である調査結果を入力するのに、汎用の携帯電話メール機能を利用できる方法例を説明する。
【００１９】
図２は、本考案システムの調査結果を入力する前の準備段階の実施例の写真画像である。
【００２０】
携帯電話のメール文章入力機能で入力するには雛形文章があると、必要な数量や変更項目を入力する際に便利で解りやすく、間違い難くなるので、有効である。
【００２１】
図２は、複数の対象パチンコ店の内、ある対象１店の集客状況を調査する際の雛形文章である。
【００２２】
１行目は以降の行の項目順を示し、Ｍ＝男の人数、Ｗ＝女の人数、台数＝同一種類ブロックの遊技機の設置台数、種＝遊技機の整理番号や名称、機＝遊技機の種類大分類で  Ｐはパチンコ機  Ｓはスロット機、時＝調査時の時間帯  単に記号化して１  ２  ３  ４  として略すかそれぞれの意味を表す実際の時刻の２４時制単位で  １０  １４  １６  ２０  など、店＝調査対象店名、を表示している。
【００２３】
２行目は第１種「０１CRａｂ」の情報を記入する文章行であり「，，２０，０１ＣＲａｂ，Ｐ，２，３パーラーＡ」と書いてある。後尾の「，２，３パーラーＡ」は以下の行にも反映する共通の内容を表示している。３行目以降は第２種以降の入力行であり、２行目の後尾を省略した前半の書式と同様である。
【００２４】
このように１店ごとに雛形文章を用意するか、２行目の後尾の「店」の内容を書き換えて使用する方法も出来る。
【００２５】
実際には、このような書式の雛形文章を作るのは、携帯電話ではかなり面倒であるので、パソコンのメールソフトにある「メール作成」機能またはテキストファイル作成アプリケーションで、対象店別複数の雛形文章を作成して、調査を担当する携帯電話へそれぞれメールを送信すれば、各携帯電話に図２のような雛形文章を受信できて、これを保存しておき、調査の前にメール作成機能に複製するだけで準備が出来る。
【００２６】
図３は、図２の雛形文章に調査して記入した実施例である。
【００２７】
２行目は種名を記号化して第１種「０１CRａｂ」の男女の稼働人数が、それぞれ１２人、５人と，，のそれぞれ前に数字を挿入して区切って入力した例であるが勿論実際の名称にしたり設置変更の際には名称変更ができる。入力時間帯は「２」そのままであるが、次回に時間帯を「３」に変更することで時間帯ごとの雛形文章は不要にする事も出来る。台数の項は２０のままであるが設置台数に変更が有った場合はここで変更する。
以後の行も同様に入力することで送信メールが出来上がる。
【００２８】
この様にして出来た文章は一般的なＣＳＶ形式の書式であり、これをパソコンなどの汎用データベースに入力して編集することができるために、編集ソフトウェアーは短期間に仕上げる事が可能である。
【産業上の利用可能性】
【００２９】
調査現場では既存の携帯電話をそのまま使用できるので実施開始が即刻でも可能であり、データ収集はインターネット環境を利用するので遠隔や広範囲に及ぶ事が可能であり、編集には汎用のデータベースを使用出来て、多種多様な内の特殊な範囲での情報編集分析の可能性があり、また情報要求者はパソコンを駆使できなくてもよいので、迅速で安価な委託サービスが様々な業種や団体にも提供できる適応力がある。
【図面の簡単な説明】
【００３０】
【図１】運営形態の総合図である。
【図２】調査結果を入力する際の準備段階の実施例の写真画像である。
【図３】図２の雛形文章に調査して記入した実施例の写真画像である。
【符号の説明】
【００３１】
１    情報要求者
２    経路１
３    情報処理者
４    経路２
５    インタネット網
６    経路３
７    携帯電話網
８    携帯電話群
９    経路４
１０    経路５
１１    経路６
【図１】
0003127932.tif 000003
【図２】
0003127932.tif 000004
【図３】
0003127932.tif 000005
【手続補正書】
【提出日】平成18年9月7日(2006.9.7)
【手続補正１】
【補正対象書類名】実用新案登録請求の範囲
【補正対象項目名】全文
【補正方法】変更
【補正の内容】
【実用新案登録請求の範囲】
【請求項１】
ある特定な事項を対象とした、例えば集客数、在庫数、を調査編集し結果を出すまでの一連の手段において、携帯電話の汎用メール機能を利用して、項目に対する数値や事柄が解るように、カンマで区分した雛形文章をあらかじめ用意して、調査した情報を、その入力すべき区分に書込み、特定情報処理者宛にメールの送信をする事により特定情報処理者が管理するＥメール機能に情報が届き、そのメール情報をテキストとしてそのまま保存して、データベースに取込み、編集機能により編集処理をしてグラフ、帳票や分析結果を出す事を特徴とした調査編集システム。
【手続補正書】
【提出日】平成18年10月14日(2006.10.14)
【手続補正１】
【補正対象書類名】実用新案登録請求の範囲
【補正対象項目名】全文
【補正方法】変更
【補正の内容】
【実用新案登録請求の範囲】
【請求項１】
ある特定な事項を対象とした、例えば集客数、在庫数、を調査編集し結果を出すまでの一連の手段において、汎用のインタネットのメール網に接続できるメール機能を備えた携帯電話と、Ｅメール機能を備えて、Ｅメール情報をテキストとして保存してデータベースに取込み編集処理が出来る情報処理装置とを組み合わせた調査編集システム。
【手続補正２】
【補正対象書類名】明細書
【補正対象項目名】全文
【補正方法】変更
【補正の内容】
【考案の詳細な説明】
【技術分野】
【０００１】  本考案は、特別設備を要せず多項目の調査ができて、編集や分析処理ができる調査編集システムに関するものである。
【背景技術】
【０００２】  企業などが自身の運営状況を分析するのに、同業他社および自身のある事項について調査数量を記録した結果をパソコンなどに手入力をして編集分析をする方法は汎用性があり一般的である。【０００３】  または、特殊な機器を用いて調査記録してパソコンに接続して調査結果をパソコンに自動的に取り込み、自動的に編集分析をする事も出来る。【０００４】  しかし、前者では、調査結果をパソコンに手入力する際に、手間が掛かり入力誤りが有る。【０００５】  また後者では調査結果を入力する機器の製作費用が嵩む上に製作期間が必要であり、編集のソフトウェアーの開発期間も必要であり即座に調査することが出来ないなどの問題がある。【特許文献１】特開２００２−２３６７８０号公報
【考案の開示】
【考案が解決しようとする課題】
【０００６】  解決しようとする問題点は、調査、編集、分析をするのに、多額の設備投資と運営する人材が必要であり、さらに新規分野での使用開始には長期の開発期間が必要である点である。
【課題を解決するための手段】
【０００７】  本考案は、調査記録を既存の携帯電話で行い、編集や分析を汎用性のあるソフトウェアーにより実施出来ることを特徴とする。
【考案の効果】
【０００８】  本考案の調査編集システムは、調査記録を既存の携帯電話で行い特別な機器を必要としないので、調査場所、調査箇所数・人数、調査項目などの自由性があり、編集や分析が、安価で早期に導入できる利点がある。【０００９】  更に専門家により汎用性のあるソフトウェアーにより即座に実施できるので必要期間だけ、一連作業の全てまたは編集や分析だけを専門業者に委託により安易に迅速に実施できるという利点もある。
【考案を実施するための最良の形態】
【００１０】  調査結果を携帯電話の汎用メール文章入力機能を利用し雛形文章に文字挿入することにより記録デジタル化して、インターネット環境によるＥ−メールで情報管理者宛に送信して、パソコンなどに入力させて得た情報をデータベース化し、編集、分析する形態が問題解決の最良な形態である。
【実施例】
【００１１】  図１により、運用形態の一連のシステムを説明する。  実施例として、複数のパチンコ店の集客情報を調査、編集、するものである。【００１２】  パチンコ店運営に於いて、自身の地域数店の集客情報を調べて、店別、機種（パチンコ、スロット）別、種（遊技機の名称）別、などの稼働率、および営業時間の開店直後、昼間、夕方、閉店前などの時間帯に分けた稼働率などを情報処理装置３により得るものである。【００１３】  情報管理者１は、要求情報を得れる形式の雛形文章を情報処理装置３に作り、この雛形文章をインタネット網５および携帯電話網７を経由して調査を担当する携帯電話８へ汎用のメール送信をする。【００１４】  携帯電話８は、１台の場合はその１台へ店ごとの雛形文章を１通づつのメールにして送り、担当者を分ける場合は、携帯電話８を複数台にして、それぞれ担当の携帯電話８へ該当する雛形文章を送信する。【００１５】  後述するように携帯電話８で調査記録した内容の規定形式の文章を、携帯電話網７およびインタネット網５を経由して情報処理者３へ返信メールをする。【００１６】  情報処理装置３は、返信されたメールをデータベースに取り込み編集や分析が出来る。【００１７】  情報管理者１は、編集や分析をした情報を、画面や印刷物１１として得ることが出来る。【００１８】  ここで、本考案システムの特徴である調査結果を入力するのに、汎用の携帯電話メール機能を利用できる方法例を説明する。【００１９】  図２は、本考案システムの調査結果を入力する前の準備段階の実施例の写真画像である。【００２０】  携帯電話のメール文章入力機能で入力するには雛形文章があると、必要な数量や変更項目を入力する際に便利で解りやすく、間違い難くなるので、有効である。【００２１】  図２は、複数の対象パチンコ店の内、ある対象１店の集客状況を調査する際の雛形文章である。【００２２】  １行目は以降の行の項目順を示し、Ｍ＝男の人数、Ｗ＝女の人数、台数＝同一種類ブロックの遊技機の設置台数、種＝遊技機の整理番号や名称、機＝遊技機の種類大分類で  Ｐはパチンコ機  Ｓはスロット機、時＝調査時の時間帯  単に記号化して１  ２  ３  ４  として略すかそれぞれの意味を表す実際の時刻の２４時制単位で  １０  １４  １６  ２０  など、店＝調査対象店名、を表示している。【００２３】  ２行目は第１種「０１CRａｂ」の情報を記入する文章行であり「，，２０，０１ＣＲａｂ，Ｐ，２，３パーラーＡ」と書いてある。後尾の「，２，３パーラーＡ」は以下の行にも反映する共通の内容を表示している。３行目以降は第２種以降の入力行であり、２行目の後尾を省略した前半の書式と同様である。【００２４】  このように１店ごとに雛形文章を用意するか、２行目の後尾の「店」の内容を書き換えて使用する方法も出来る。【００２５】  実際には、このような書式の雛形文章を作るのは、携帯電話ではかなり面倒であるので、パソコンのメールソフトにある「メール作成」機能またはテキストファイル作成アプリケーションで、対象店別複数の雛形文章を作成して、調査を担当する携帯電話へそれぞれメールを送信すれば、各携帯電話に図２のような雛形文章を受信できて、これを保存しておき、調査の前にメール作成機能に複製��るだけで準備が出来る。【００２６】  図３は、図２の雛形文章に調査して記入した実施例である。【００２７】  ２行目は種名を記号化して第１種「０１CRａｂ」の男女の稼働人数が、それぞれ１２人、５人と，，のそれぞれ前に数字を挿入して区切って入力した例であるが勿論実際の名称にしたり設置変更の際には名称変更ができる。入力時間帯は「２」そのままであるが、次回に時間帯を「３」に変更することで時間帯ごとの雛形文章は不要にする事も出来る。台数の項は２０のままであるが設置台数に変更が有った場合はここで変更する。  以後の行も同様に入力することで送信メールが出来上がる。【００２８】  この様にして出来た文章は一般的なＣＳＶ形式の書式であり、これをパソコンなどの汎用データベースに入力して編集することができるために、調査情報を編集するソフトウェアーは短期間に仕上げる事が可能である。
【産業上の利用可能性】
【００２９】  調査現場では既存の携帯電話をそのまま使用できるので実施開始が即刻でも可能であり、データ収集はインターネット環境を利用するので遠隔や広範囲に及ぶ事が可能であり、編集には汎用のデータベースを使用出来て、多種多様な内の特殊な範囲での情報編集分析の可能性があり適応力がある。
【図面の簡単な説明】
【００３０】
【図１】運用形態の総合図である。
【図２】調査結果を入力する際の準備段階の実施例の写真画像である。
【図３】図２の雛形文章に調査して記入した実施例の写真画像である。
【符号の説明】
【００３１】  １    情報管理者  ２    操作  ３    情報処理装置  ４    経路１  ５    インタネット網  ６    経路２  ７    携帯電話網  ８    携帯電話群  ９    経路３１０    経路４１１    画像表示または印刷物
【手続補正３】
【補正対象書類名】図面
【補正対象項目名】全図
【補正方法】変更
【補正の内容】
【図１】
0003127932.tif 000006
【図２】
0003127932.tif 000007
【図３】
0003127932.tif 000008